(57)【要約】【課題】汚物を適切に分解処理できるトイレユニットを提供すること。【解決手段】トイレルーム１４の床板１３上に設置された便器２１と、前記便器２１に対応して前記床板１３の下側に設置された分解処理槽３２とを備えたトイレユニットにおいて、前記分解処理槽３２は、菌床を収容可能な上面を開放した槽本体３４と、菌床を攪拌するための攪拌手段とを備えた。前記攪拌手段は、槽本体の側壁間に架設された回転軸及びその回転軸に取り付けられた攪拌羽根を備えた攪拌部材と、その攪拌部材を回転させるためのモータ４６とよりなる。【選択図】図２
0003201762.tif 000002
【実用新案登録請求の範囲】
【請求項１】
トイレルームの床面上に設置された便器と、前記便器に対応して前記床面の下側に設置された分解処理槽とを備えたトイレユニットにおいて、
前記分解処理槽は、菌床を収容可能な上面を開放した槽本体と、菌床を攪拌するための攪拌手段とを備えたトイレユニット。
【請求項２】
前記攪拌手段は、槽本体の側壁間に架設された回転軸及びその回転軸に取り付けられた攪拌羽根を備えた攪拌部材と、その攪拌部材を回転させるためのモータとよりなる請求項１に記載のトイレユニット。
【請求項３】
前記攪拌部材の前記攪拌羽根は、その回転にともなって前記菌床を前記回転軸の軸線方向に移動させるように、回転軸の軸線に対して傾斜されている請求項２に記載のトイレユニット。
【請求項４】
前記攪拌部材は、一対配置され、それらの回転軸が平行をなす請求項２または３に記載のトイレユニット。
【請求項５】
前記攪拌部材の回転にともない、前記菌床が前記分解処理槽内を周回移動するように、前記羽根の傾斜方向が設定されている請求項４に記載のトイレユニット。
【請求項６】
前記分解処理槽は、前記攪拌部材間に位置する区画壁を備えるとともに、その区画壁の両端と分解処理槽の内壁面との間を開放した請求項５に記載のトイレユニット。
【請求項７】
前記モータの回転方向を所定時間ごとに反転させる反転手段を有する請求項５または６に記載のトイレユニット。
【請求項８】
前記区画壁の側面と前記分解処理槽の内壁面とによって構成される攪拌室は、前記回転軸を中心とした円筒面形状をなす請求項６に記載のトイレユニット。
【請求項９】
前記分解処理槽は、レールに沿ってトイレルーム外に引き出し可能である請求項１〜８のうちのいずれか一項に記載のトイレユニット。
【考案の詳細な説明】
【技術分野】
【０００１】
本考案は、屋外トイレや仮設トイレとしての利用に適するトイレユニットに関するものである。
【背景技術】
【０００２】
この種のトイレユニットが特許文献１に開示されている。
この特許文献1には、仮設トイレが開示されており、トイレルーム内の床面上に便器が設けられ、床面の下側に分解処理槽が設けられている。
【先行技術文献】
【特許文献】
【０００３】
【特許文献１】特開２０１４−１２２５４８号公報
【考案の概要】
【考案が解決しようとする課題】
【０００４】
特許文献１においては、前記分解処理槽に関する詳細な技術は開示されていない。すなわち、この種のトイレユニットは、汚物を流し去るものではないため、分解処理槽における分解処理能力が課題になるが、この分解処理に関する有効な対策は、特許文献１のトイレユニットには講じられていない。
【０００５】
本考案の目的は、汚物を適切に分解処理することを可能にしたユニットトイレに関するものである。
【課題を解決するための手段】
【０００６】
上記の目的を達成するために、本考案は、トイレルームの床面上に設置された便器と、前記便器に対応して前記床面の下側に設置された分解処理槽とを備えたトイレユニットにおいて、前記分解処理槽は、菌床を収容可能な上面を開放した槽本体と、菌床を攪拌するための攪拌手段とを備えたことを特徴とする。
【０００７】
以上の構成においては、分解処理槽内に菌床を収容すれば、その菌床を攪拌手段によって攪拌できるため、菌床内の汚物を微生物によって適切に分解させることができる。
【考案の効果】
【０００８】
以上のように、本考案によれば、汚物を適切に分解処理できるという効果を発揮する。
【図面の簡単な説明】
【０００９】
【図１】トイレユニットの斜視図。
【図２】トイレユニットの断面図。
【図３】分解処理槽の平面図。
【図４】分解処理槽の正面図。
【図５】分解処理槽の槽本体の平面図。
【図６】図３の６−６線断面図。
【考案を実施するための形態】
【００１０】
以下、本考案を具体化したトイレユニットの実施形態を図面に基づいて説明する。
図１及び図２に示すように、ユニットボックス１１の前部には開閉可能なドア１２設けられ、そのドア１２の下部にはシャッター（図示しない）によって開閉可能な換気取り入れ口１２１が設けられている。ユニットボックス１１の内部には床板１３が設けられ、その床板１３の上部がトイレルーム１４になっている。床板１３の下側には、前面を開放した収納室１５が形成されている。収納室１５の前面開放部には、ステップ１６が設置されている。このステップ１６はトイレ使用者がトイレルーム１４に出入りするための踏み台になるとともに、収納室１５の前面開放部１５１を閉鎖する機能を有する。
【００１１】
前記床板１３上には着座式便器，いわゆる洋式便器２１が設置されている。この便器２１の底部及び床板１３には上下方向に開放された貫通孔２１１，１３１が形成され、このため、この貫通孔２１１，１３１は前記収納室１５に向かって開口している。
【００１２】
図２に示すように、ユニットボックス１１の後部には、前記収納室１５に連通する換気室２２が区画され、その換気室２２の上端部には換気ファン２３が設けられている。そして、換気ファン２３が稼働されると、外気が前記ドア１２の換気取り入れ口１２１からトイレルーム１４内に取り入れられて、取り入れられた外気は、トイレルーム１４から便器２１，収納室１５を介して換気ファン２３を介して外部に排出される。
【００１３】
前記収納室１５の底壁１１２上には前後に延びるレール３１が敷設され、そのレール３１上には分解処理槽３２が下部のローラ３３において前後に移動可能に支持されている。そして、分解処理槽３２は、前記ステップ１６の取り外し時に、収納室１５の前面開放部から出し入れされる。なお、分解処理槽３２は収納室１５内のストッパ２４によって収納位置に保持される。
【００１４】
図３〜図６に示すように、前記分解処理槽３２の槽本体３４はステンレススチール板により上面を開放した箱状に形成され、その底壁３５の左右方向の中間部には区画壁３５１が形成されている。区画壁３５１の前後両端と槽本体３４の前壁３６及び後壁３７との間には開放部３８が形成されている。その開放部３８と連通するように、区画壁３５１の左右両側には断面半円状の攪拌室３９が形成されている。そして、前記槽本体３４内には、前記区画壁３５１の上端が埋設される程度までおが屑等の菌床１００が収容される。
【００１５】
前記攪拌室３９と対応するように、前記前壁３６及び後壁３７に設けた軸受４０には、ステンレススチール製で、前後方向に延びる回転軸４１の両端部が回転可能に支持されている。この回転軸４１は、前記攪拌室３９の円形断面の中心部に位置している。回転軸４１の長さ方向の両端部には回転軸４１の軸線を中心とした半径方向に向かって突出する第１主攪拌羽根４２が固定され、その第１主攪拌羽根４２の先端には第１補助攪拌羽根４３が固定されている。第１主攪拌羽根４２は、回転軸４１の軸線と直交する面内に位置し、第１補助攪拌羽根４３は回転軸４１の軸線を中心とした円の接線上に位置している。
【００１６】
両第１主攪拌羽根４２間において、回転軸４１には回転軸４１の軸線を中心とした半径方向に向かって突出するように複数の第２主攪拌羽根４４が等間隔をおいて固定され、それらの先端には第２補助攪拌羽根４５が固定されている。第２主攪拌羽根４４及び第２補助攪拌羽根４５は、その回転にともなって菌床１００を攪拌室３９内において回転軸４１の軸線方向に移動させるように、回転軸４１の軸線に対して傾斜している。
【００１７】
すなわち、第２主攪拌羽根４４は回転軸４１の軸線に対して斜交する面内に位置し、第２補助攪拌羽根４５は回転軸４１の軸線を中心とした円筒面に対して傾斜されている。そして、双方の回転軸４１の第２主攪拌羽根４４及び第２補助攪拌羽根４５は、図５に矢印で示すように、槽本体３４内の菌床１００が両攪拌室３９及び両開放部３８を通って、区画壁３５１の周りを一方向及びその逆方向に周回するように傾斜角度が設定されている。
【００１８】
各攪拌羽根４２，４３，４４，４５は、ステンレススチールによって構成されている。本実施形態においては、回転軸４１と、各攪拌羽根４２，４３，４４，４５により攪拌手段としての一対の攪拌部材５５が構成されている。なお、第１，第２主攪拌羽根４２，４４は、回転軸４１の軸方向から見てほぼ等角度間隔に配置されている。
【００１９】
前記槽本体３４の前壁３６の外側面には攪拌手段としてのモータ４６が取付けられ、そのモータ４６のモータ軸上のスプロケット４７と前記両回転軸４１上のスプロケット４９，５０との間には無端状のチェーン５１が掛けられている。そして、モータ４６の回転により、両回転軸４１が同方向に回転される。モータ４６には反転手段としてのタイマスイッチ５２が付設され、このタイマスイッチ５２の作用により、一定時間（例えば１０分）ごとにモータ４６の回転が反転される。
【００２０】
前記ドア１２には、そのドア１２が閉鎖されたときにオンされるスイッチ（図示しない）が付設されており、このスイッチが１回目にオンされることにより、前記モータ４６が起動され、２回目にオンされることにより、前記タイマスイッチ５２が作動されて、モータ４６がさらに一定時間（例えば、３０分）継続して稼働される。
【００２１】
次に、本実施形態のトイレユニットの作用を説明する。
使用者の使用により、汚物が便器２１及び床板１３の各貫通孔２１１，１３１を介して分解処理槽３２の内部に落下される。
【００２２】
一方、トイレルーム１４への使用者の進入にともなうドア１２の１回目の閉鎖により、図示しないスイッチがオンされて、モータ４６が起動される。モータ４６が起動によって回転されると、チェーン５１を介して回転軸４１が回転されて、各攪拌羽根４２，４３，４４，４５の作用により、槽本体３４内の菌床１００が攪拌される。このとき、菌床１００は、傾斜する第２主攪拌羽根４４及び第２補助攪拌羽根４５の作用により、攪拌室３９内を図５の矢印方向あるいはその反対方向に移動されて、開放部３８内を隣の攪拌室３９内に移動される。その結果、菌床１００は全体として、槽本体３４内を一方向またはその逆方向に周回される。
【００２３】
そして、所定時間経過すると、モータ４６の回転方向が切換えられて、各攪拌羽根４２，４３，４４，４５により菌床１００が逆方向に攪拌されて、攪拌にともなう周回方向が逆方向に切換えられる。
【００２４】
なお、回転軸４１の両端の第１主攪拌羽根４２及び第１補助攪拌羽根４３は、攪拌作用に加えて、開放部３８に達した菌床１００をその開放部の下流側の攪拌室３９に向かって送り出す作用を有する。
【００２５】
このようにして、汚物は菌床１００とともに攪拌されて、菌床１００に保持された微生物によって分解処理される。なお、この微生物は、空気中を浮遊する微生物が菌床１００上で繁殖されたものであっても、培養された微生物が菌床１００に対して投入されたものであっても、いずれでもよい。また、長期間の使用により、菌床１００や微生物が劣化した場合は、ステップ１６を移動させて、収納室１５の前面を開放させれば、分解処理槽３２を外部に引き出して、菌床１００の交換等を行なうことができる。
【００２６】
本実施形態では、以下の効果がある。
（１）分解処理槽３２が菌床１００を収容可能な槽本体３４と、菌床１００を攪拌するための攪拌部材５５とを備えているため、汚物を菌床１００とともに攪拌して、微生物によって適切に分解処理できる。
【００２７】
（２）攪拌部材５５は、槽本体３４の前壁３６と後壁３７との間に架設され、攪拌羽根４２，４３，４４，４５を有する回転軸４１をモータ４６によって回転させるようになっているため、菌床１００を有効に攪拌できる。
【００２８】
（３）攪拌部材５５の傾斜した攪拌羽根４４，４５は、回転軸４１の回転にともなって菌床１００を一方向に移動させるため、菌床１００が有効に攪拌されるとともに、菌床１００の全体を有効に機能させて汚物を有効に分散させることができる。
【００２９】
（４）攪拌部材５５は、一対配置され、それらの回転軸４１が平行をなすため、分解処理槽３２が容積を大きくても、その内部の菌床１００を有効に攪拌できて、大量の菌床１００を用いて高い分解処理能力を得ることができる。
【００３０】
（５）攪拌部材５５の回転にともない、前記菌床１００が槽本体３４内を周回されるため、その菌床１００がさらに有効に攪拌されるとともに、汚物を有効に分散させて、好適に分解処理することができる。
【００３１】
（６）槽本体３４は、攪拌部材５５間に位置する区画壁３５１を備えるとともに、その区画壁３５１の両端と槽本体３４の内壁面との間に開放部３８を形成したことにより、菌床１００を槽本体３４の内部全体を周回させて、高い攪拌効果と汚物の分散効果とを得ることができ、汚物の分解処理を効果的に行なうことができる。
【００３２】
（７）モータ４６の回転方向が所定時間ごとに反転されるため、菌床１００の攪拌効果をさらに向上させることができる。
（８）前記区画壁３５１の側面と槽本体３４の内壁面とによって構成される攪拌室３９は、前記回転軸４１を中心とした円筒面形状をなすように構成されているため、攪拌されない菌床１００が滞留されることを抑えることができ、菌床１００を満遍なく攪拌できる。
【００３３】
（９）分解処理槽３２は、レール３１に沿ってユニットボックス１１外に引き出すことができるため、菌床１００の交換や分解処理槽３２のメンテナンス作業等を容易に行なうことができる。
【００３４】
なお、本考案は前記実施形態に限定されるものではなく、以下のような態様で具体化することもできる。
・便器２１を和式のものに変更すること。
【００３５】
・攪拌部材５５の構成を変更すること。攪拌部材５５を例えば、スクリュー形状のものにすること。
・前記実施形態においては、ドア１２の閉鎖によってモータ４６やタイマスイッチ５２が動作されるようにしたが、トイレルーム１４内に人体を検出する人感スイッチを設けて、この人感スイッチによりモータ４６やタイマスイッチ５２が動作されるように構成すること。すなわち、人感スイッチが人体を検出することによりモータ４６が起動されるようにするとともに、人感スイッチが人体の検出を停止したときにタイマスイッチ５２が起動されるようにすること。
【００３６】
・便器２１のカバーを検知するスイッチを設け、カバーが開放されることにより、スイッチによりモータ４６が起動され、カバーが閉鎖されることによりタイマスイッチ５２が起動して所定時間後にモータ４６が停止されるようにすること。
【００３７】
・モータ４６の動作と換気ファン２３の動作とを同期させること。
・収納室１５内に暖房手段を設けて、寒冷地においても、菌床１００内の微生物が活動できるようにすること。
【００３８】
・槽本体３４の底壁３５，区画壁３５１の少なくとも一方に複数の通気口（図示しない）を形成し、エアポンプ（図示しない）により、その通気口を介して菌床１００内に空気を送るように構成すること。このようにすれば、菌床１００内の微生物に空気を供給して、微生物を活性化させることができる。
【符号の説明】
【００３９】
１１…ユニットボックス、１４…トイレルーム、１５…収納室、２１…便器、３１…レール、３２…分解処理槽、３４…槽本体、３９…攪拌室、４１…回転軸、４２…第１主攪拌羽根、４３…第１補助攪拌羽根、４４…第２主攪拌羽根、４５…第２補助攪拌羽根、４６…モータ、５２…タイマスイッチ、５５…攪拌部材。
【図１】
0003201762.tif 000003
【図２】
0003201762.tif 000004
【図３】
0003201762.tif 000005
【図４】
0003201762.tif 000006
【図５】
0003201762.tif 000007
【図６】
0003201762.tif 000008